(57)【要約】  所謂使い捨てカイロなどのような発熱体を用いたときに、保管などの不使用時に薬剤を含有する部材と発熱体と同封しても薬剤が発熱体に移行することを防ぐことができる加熱蒸散型害虫防除具を提供することを目的とする。  揮発性を有し害虫を防除する薬剤を保持する薬剤保持部１と、薬剤保持部１を封入し、薬剤を放出可能である収容部２と、収容部２の少なくとも一側面と固定されており、酸素によって発熱する発熱組成物３１を内包する発熱部３を備える加熱蒸散型害虫防除具、さらに収容部２が、発熱部３に固定される収容部２の一側面と薬剤保持部１に対して反対側の面、又は、発熱部３に固定される収容部２の一側面と同一の面の少なくとも一方に、内外を連通する通気孔２１１を有する加熱蒸散型害虫防除具により解決することができた。
2016143894.tif 000002
【特許請求の範囲】
【請求項１】
揮発性を有し害虫を防除する薬剤を保持する薬剤保持部と、
前記薬剤保持部を封入し、前記薬剤を放出可能である収容部と、
前記収容部の少なくとも一側面と固定されており、酸素によって発熱する発熱組成物を内包する発熱部を備えることを特徴とする加熱蒸散型害虫防除具。
【請求項２】
前記収容部において、前記発熱部に固定されている側の前記収容部の一側面と反対側の面、又は、前記発熱部に固定されている側の前記収容部の一側面と同一の面の少なくとも一方に、内外を連通する通気孔を有することを特徴とする請求項１に記載の加熱蒸散型害虫防除具。
【請求項３】
前記収容部と前記発熱部の間にそれらを固定する固定部を備えることを特徴とする請求項１又は請求項２に記載の加熱蒸散型害虫防除具。
【請求項４】
包装容器に密封されたことを特徴とする請求項１から請求項３のいずれかに記載の加熱蒸散型害虫防除具。
【請求項５】
前記通気孔を覆う蓋部を有することを特徴とする請求項２に記載の加熱蒸散型害虫防除具。
【請求項６】
前記薬剤は、ピレスロイド系化合物又は天然精油成分の少なくとも一種であることを特徴とする請求項１から請求項５のいずれかに記載の加熱蒸散型害虫防除具。
【発明の詳細な説明】
【技術分野】
【０００１】
本発明は、屋内及び屋外における活動時に、電気やガスを使用せずに化学反応熱により殺虫性成分を蒸散させ害虫を忌避又は殺虫などにより防除する加熱蒸散型害虫防除具に関する。
【背景技術】
【０００２】
従来、電気やガスなどの燃料を要するエネルギー源を使用せずに、屋外での活動時に、蚊、蝿、虻、蜂などの害虫から身を守るための防除具が種々知られている。【０００３】
例えば、特許文献１には、通気性を有する袋材１ａ内に酸素と化学反応して発熱する発熱材等が封入された発熱体１の表面及び裏面に、殺虫剤などを含有する薬剤シート２を貼り付けて、発熱体１の発熱により薬剤シート２に含有された殺虫剤などが気化させることができる薬剤気化材、およびそれを収納する容器が開示されている。【０００４】
また、特許文献２には、通気孔６を有する収納容器５の内部に、化学反応して熱を発する発熱体組成物３と、その外側に設けられた薬剤含浸体８を備え、発熱体組成物の化学反応熱を用いて薬剤含浸体８に含浸させた殺虫成分を蒸散させて使用する殺虫器具及び殺虫方法が開示されている。
【先行技術文献】
【特許文献】
【０００５】
【特許文献１】特開平５−２６２６０２号公報
【特許文献２】特開２００１−３１６２０３号公報
【発明の概要】
【発明が解決しようとする課題】
【０００６】
しかしながら、特許文献１、特許文献２に記載の発明では、薬剤を含有する部材が、発熱体に直接設けて使用されるため、薬剤を含浸する部材及び所謂使い捨てカイロなどのような発熱材を包装容器などの包装部材で同封して保管するなど使用していないときに、発熱材を封入する不織布などからなる袋や発熱材に含まれる活性炭などの吸着材等が薬剤を吸着してしまい、含浸された薬剤の一部しか外部へ放出することができず、予め含浸された薬剤の量では十分に害虫を防除できなかったり、十分な防除効果を生じさせるために不必要に大量の薬剤を含浸したりすることが問題であった。【０００７】
そこで、本発明では、所謂使い捨てカイロなどのような発熱体を用いたときに、保管などの不使用時に薬剤を含有する部材と発熱体と同封しても薬剤が発熱体に移行することを防ぐことができる加熱蒸散型害虫防除具を提供することを目的とする。
【課題を解決するための手段】
【０００８】
〔１〕すなわち、本発明は、揮発性を有し害虫を防除する薬剤を保持する薬剤保持部と、前記薬剤保持部を封入し、前記薬剤を放出可能である収容部と、前記収容部の少なくとも一側面と固定されており、酸素によって発熱する発熱組成物を内包する発熱部を備えることを特徴とする加熱蒸散型害虫防除具である。【０００９】
〔２〕そして、前記収容部において、前記発熱部に固定されている側の前記収容部の一側面と反対側の面、又は、前記発熱部に固定されている側の前記収容部の一側面と同一の面の少なくとも一方に、内外を連通する通気孔を有することを特徴とする前記〔１〕に記載の加熱蒸散型害虫防除具である。【００１０】
〔３〕そして、前記収容部と前記発熱部の間にそれらを固定する固定部を備えることを特徴とする前記〔１〕又は前記〔２〕に記載の加熱蒸散型害虫防除具。【００１１】
〔４〕そして、包装容器に密封されたことを特徴とする前記〔１〕から前記〔３〕のいずれかに記載の加熱蒸散型害虫防除具である。【００１２】
〔５〕そして、前記通気孔を覆う蓋部を有することを特徴とする前記〔２〕に記載の加熱蒸散型害虫防除具である。【００１３】
〔６〕そして、前記薬剤は、ピレスロイド系化合物又は天然精油成分の少なくとも一種であることを特徴とする前記〔１〕から前記〔５〕のいずれかに記載の加熱蒸散型害虫防除具である。
【発明の効果】
【００１４】
本発明によれば、所謂使い捨てカイロなどのような発熱体を用いたときに、保管などの不使用時に薬剤を含有する部材と発熱体と同封しても薬剤が発熱体に移行することを防ぐことができる。
【図面の簡単な説明】
【００１５】
【図１】本発明の第一実施形態における斜視図である。
【図２】本発明の第一実施形態におけるＡ−Ａ線断面図である。
【図３】本発明の第一実施形態における発熱部（一部破断）と薬剤保持部に関する分解斜視図である。
【図４】本発明の第二実施形態における発熱部（一部破断）と薬剤保持部に関する分解斜視図である。
【図５】本発明の第三実施形態における発熱部（一部破断）と薬剤保持部に関する分解斜視図である。
【図６】本発明の第四実施形態における発熱部（一部破断）と薬剤保持部などに関する分解斜視図である。
【発明を実施するための形態】
【００１６】
以下、本発明の加熱蒸散型害虫防除具に関する複数の実施形態について詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。そして、説明中における範囲を示す表記のある場合は、上限と下限を含有するものである。
【００１７】
本発明の第一実施形態における加熱蒸散型害虫防除具は、図１から図３に示すように、薬剤保持部１を封入する収容部２の一側面を発熱部３に設けて使用するものである。
【００１８】
薬剤保持部１は、揮発性を有し害虫を防除する薬剤を保持する部材である。薬剤保持部１の本体は、内部に隙間がある網目構造を有しており、その隙間に前記薬剤を表面張力などで保持しうる部材である。薬剤保持部１の本体の材質は、例えば、ポリオレフィン繊維、アラミド繊維、ポリエステル繊維、ビニロン繊維、ナイロン繊維、レーヨン繊維などから選ばれる１種又は２種以上であることが好ましい。また、薬剤保持部１の本体における網目は、規則性を有していても不規則であってもよい。また、薬剤保持部１の本体の大きさについては、含浸させる前記薬剤の量に応じて種々変更することができる。なお、本実施形態においては、前記薬剤を含浸することができる単一層のシート状部材であるが、他の実施形態において、薬剤保持部１を支持して前記薬剤が薬剤保持部１から漏洩しないようにする層などを設けて二層以上の複数層とすることもでき、さらに、シート状部材をゼオライトなどのように複数の微小な孔を有する多孔質状部材としたり、前記薬剤を揮散しやすくするために立体的な網目状部材としたり、前記薬剤を内部に保持する容器としたりすることもできる。また、薬剤保持部１における発熱部３側の側面にアルミニウム、銅などの良好な熱伝導性を有する金属などの薄い部材を積層して、薬剤保持部１が加温されやすいようにすることもできる。
【００１９】
そして、薬剤保持部１に保持されている揮発性を有し害虫を忌避又は殺虫などにより防除する薬剤は、ピレスロイド系化合物又は天然精油成分の少なくとも一種を有効成分と含有する製剤である。これらの成分であれば、蚊、蝿、虻、蜂などの害虫に対して、殺虫効果や忌避効果などの防除効果を有するとともに、発熱部３からの熱により収容部２から外部にも拡散されやすいので好ましい。
【００２０】
ピレスロイド系化合物としては、天然ピレスロイドとして、ピレトリンＩ＜（１Ｒ，３Ｒ）−２，２−ジメチル−３−（２−メチル−１−プロペニル）シクロプロパンカルボン酸（１Ｓ）−２−メチル−４−オキソ−３−（２Ｚ）−２，４−ペンタジエニル−２−シクロペンテン−１−イルエステル＞、ピレトリンＩＩ＜（１Ｒ，３Ｒ）−３−［（１Ｅ）−３−メトキシ−２−メチル−３−オキソ−１−プロペニル］−２，２−ジメチルシクロプロパンカルボン酸（１Ｓ）−２−メチル−４−オキソ−３−（２Ｚ）−２，４−ペンタジエニル−２−シクロペンテン−１−イルエステル＞、シネリンＩ＜（１Ｒ，３Ｒ）−２，２−ジメチル−３−（２−メチル−１−プロペニル）シクロプロパンカルボン酸（１Ｓ）−３−（２Ｚ）−（２−ブテニル）−２−メチル−４−オキソ−２−シクロペンテン−１−イルエステル＞、シネリンＩＩ＜（１Ｒ，３Ｒ）−３−［（１Ｅ）−３−メトキシ−２−メチル−３−オキソ−１−プロペニル］−２，２−ジメチルシクロプロパンカルボン酸（１Ｓ）−３−（２Ｚ）−（２−ブテニル）−２−メチル−４−オキソ−２−シクロペンテン−１−イルエステル＞、ジャスモリンＩ＜（１Ｒ，３Ｒ）−２，２−ジメチル−３−（２−メチル−１−プロペニル）シクロプロパンカルボン酸 （１Ｓ）−２−メチル−４−オキソ−３−（２Ｚ）−２−ペンテニル−２−シクロペンテン−１−イルエステル＞、ジャスモリンＩＩ＜（１Ｒ，３Ｒ）−３−［（１Ｅ）−３−メトキシ−２−メチル−３−オキソ−１−プロペニル］−２，２−ジメチルシクロプロパンカルボン酸 （１Ｓ）−２−メチル−４−オキソ−３−（２Ｚ）−２−ペンテニル−２−シクロペンテン−１−イルエステル＞、合成ピレスロイドとして、アレスリンＩ＜２，２−ジメチル−３−（２−メチル−１−プロペニル）シクロプロパンカルボン酸２−メチル−４−オキソ−３−（２−プロペニル）−２−シクロペンテン−１−イルエステル＞、アレスリンＩＩ＜３−（３−メトキシ−２−メチル−３−オキソ−１−プロペニル）−２，２−ジメチルシクロプロパンカルボン酸２−メチル−４−オキソ−３−（２−プロペニル）−２−シクロペンテン−１−イルエステル＞、フタルスリン（別名；Ｄ−テトラメトリン）＜（１，３−ジオキソ−４，５，６，７−テトラヒドロイソインドリン−２−イル）メチル＝２，２−ジメチル−３−（２−メチルプロパ−１−エン−１−イル）シクロプロパン−１−カルボキシラート＞、レスメトリン＜（５−ベンジル−３−フリル）メチル＝２，２−ジメチル−３−（２−メチルプロパ−１−エン−１−イル）シクロプロパンカルボキシラート＞、フェノトリン＜３−フェノキシベンジル＝２−ジメチル−３−（メチルプロペニル）シクロプロパンカルボキシラート＞、ペルメトリン＜３−フェノキシベンジル＝３−（２，２−ジクロロビニル）−２，２−ジメチルシクロプロパンカルボキシラート＞、シフェノトリン＜シアノ（３−フェノキシフェニル）メチル＝２，２−ジメチル−３−（２−メチルプロパ−１−エン−１−イル）シクロプロパンカルボキシラート＞、エトフェンプロックス＜４−（４−エトキシフェニル）−４−メチル−１−（３−フェノキシフェニル）−２−オキサペンタン＞、���トフルトリン＜２，２−ジメチル−３−（プロパ−１−エン−１−イル）シクロプロパンカルボン酸=２，３，５，６−テトラフルオロ−４−（メトキシメチル）ベンジル＞、トランスフルトリン＜（１Ｒ，３Ｓ）−３−［（Ｅ）−２，２−ジクロロビニル］−２，２−ジメチルシクロプロパンカルボン酸=２，３，５，６−テトラフルオロベンジル＞、シフルトリン＜シアノ（４−フルオロ−３−フェノキシフェニル）メチル＝３−（２，２−ジクロロビニル）−２，２−ジメチルシクロプロパン−１−カルボキシラート＞、などが好ましい。そして、上記のうちペルメトリン、フェノトリン、アレスリン、フタルスリン、レストメトリン、メトフルトリン、トランスフルトリンが、より好ましく、さらに、メトフルトリン、トランスフルトリンが最も好ましい。また、上記のピレスロイド系化合物は１種類のみ、又は２種類以上組み合わせて用いることができる。
【００２１】
天然精油成分は、植物の枝葉、根茎、木皮、果実、花、つぼみ、樹脂などから得られる揮発性の油状物であり、水蒸気蒸留法、圧搾法、抽出法などで植物の各箇所より分離し、精製して得られる。
【００２２】
精油の原材料としては、種々挙げられるが、グレープフルーツ、ゼラニウム、ローズマリー、アニス、アルモワーズ、イランイラン、オレンジ、カナンガ、カモミール、カルダモン、カユプテ、クラリセージ、クローブ、コリアンダー、サイプレス、サンダルウッド、シダーウッド、シトロネラ、ジュニパーベリー、ジンジャー、スペアミント、セージ、ティートリー、ナツメグ、ネロリ、パインニードル、バジル、パチョリー、パルマローザ、フェンネル、ブラックペッパー、ペチグレン、ベチバー、ペパーミント，ベルガモット、マージョラム、マンダリン、ユーカリレモン、ライム、ラベンダー、レモン、レモングラス、ローズウッド、月桃葉油、桂皮油、薄荷油が好ましい。これら原材料から得られた精油は、害虫に対して有用な忌避効果を有する。
【００２３】
上記原料から得られる精油には、揮発性を有する種々の化合物が含有されている。グレープフルーツには、ｄ−リモネン、ミルセン、α−ピネンなどが含有されている。ゼラニウムには、シトロネロール、ゲラニオール、リナロールなどが含有されている。ローズマリーには、α−ピネン、カンファー、１，８−シネオールなどが含有されている。アニスには、（Ｅ）−アネトール、リモネン、アニスアルデヒドなどが含有されている。アルモアーズには、１，８−シネオール、ツジョン、ボルネオール、カンファー、ピネン、アルテミシニン（セスキテルペン・ラクトン）リナロール、ネロールなどが含有されている。イランイランには、リナロール、β−カリオレフィン、ゲルマクレンＤなどが含有されている。オレンジには、リモネン、ミルセン、β−ビサボレンなどが含有されている。カナンガには、カリオフィレン、酢酸ゲラニル、テルピネオールなどが含有されている。カモミールには、ファルネセン、カマズレン、α−ビサボロールオキサイドＢなどが含有されている。カルダモンには、１，８−シネオール、α−テルピニルアセテート、リモネンなどが含有されている。カユプテには、１，８−シネオール、α−テルピネオール、パラ−シメンなどが含有されている。クラリセージには、酢酸リナリル、リナロール、ゲルマクレンＤなどが含有されている。クローブには、オイゲノール、β−カリオフィレン、オイゲニルアセテートなどが含有されている。コリアンダーには、ｄ−リナロール、カンファー、α―ピネンなどが含有されている。サイプレスには、α―ピネン、δ−３−カレンなどが含有されている。サンダルウッドには、シス−α−サンタロール、シス−β−サンタロール、ｅｐｉ−β−サンタロールなどが含有されている。シダーウッドには、ツヨプセン、α−セドレン、セドロールなどが含有されている。シトロネラには、ゲラニオール、リモネン、シトロネロールなどが含有されている。ジュニパーベリーには、α−ピネン、ミルセン、β−ファルネセンなどが含有されている。ジンジャーには、ａｒ−クルクメン、α−ジンジベレン、β−セスキフェランドレンなどが含有されている。スペアミントには、（−）−カルボン、ジヒドロカルボン、１，８−シネオールなどが含有されている。セージには、α−ツヨン、β−ツヨン、カンファーなどが含有されている。ティートリーには、テルピネン−４−オール、γ−テルピネン、α−テルピネンなどが含有されている。ナツメグには、α−ピネン、サビネン、β−ピネンなどが含有されている。ネロリには、リナロール、リモネン、βピネンなどが含有されている。パインニードルには、α−ピネン、β−ピネン、ミルセンなどが含有されている。バジルには、リナロール、メチルチャビコール、β−カリオフィレンなどが含有されている。パチョリーには、パチュリアルコール、α−パチュレン、β−カリオフィレンなどが含有されている。パルマローザには、ゲラニオール、酢酸ゲラニル、リナロールなどが含有されている。フェンネルには、（Ｅ）−アネトール、リモネン、メチルチャビコールなどが含有されている。ブラックペッパーには、β−３−カリオフィレン、δ−３−カレン、リモネンなどが含有されている。ペチグレンには、リナリルアセテート、リナロール、α―テルピネオールなどが含有されている。ベチバーには、ベチベロール、ベチベン、α−ベチボールなどが含有されている。ベルガモットには、リモネン、リナリルアセテート、リナロールなどが含有されている。マージョラムには、テルピネン−４−オール、シス−サビネンヒドレート、パラ−シメンなどが含有されている。マンダリンには、リモネン、γ−テルピネン、β−ピネンなどが含有されている。ユーカリレモンには、シトロネラール、シトロネロール、シトラールなどが含有されている。ライムには、リモネン、γ−テルピネン、β−ピネンなどが含有されている。ラベンダーには、酢酸リナリル、リナロール、（Ｚ）−β−オシメンなどが含有されている。レモンには、リモネン、β−ピネン、γ−テルピネンなどが含有されている。レモングラスには、ゲラニアール、シトラール、エレモールなどが含有されている。ローズウッドには、リナロール、α−テルピネオール、シスーリナロールオキサイドなどが含有されている。ペパーミントには、ｌ−メントール、ｌ−メントン、メントフランなどが含有されている。桂皮油には、シンナムアルデヒド、ｔ−２−メトキシシンナムアルデヒド、クマリンなど含有されている。月桃葉油には、１，８−シネオール、テルピネン−４−オール、ｐ―サイメンなどが含有されている。薄荷油には、ｌ−メントール、ｌ−メントン、メントフランなどが含有されている。
【００２４】
また、上記のピレスロイド系化合物、天然精油成分を併用して用いることもできる。
【００２５】
図２、図３に示すように、収容部２は、薬剤保持部１を封入し、前記薬剤を放出しうる部材である。本実施形態において、収容部２は、シート状の第一部材２１及び第二部材２２の外周部を固定した袋状の部材であるが、他の実施形態において箱状などとすることもできる。
【００２６】
そして、第一実施形態において、図３などに示すように、発熱部３に固定される側の第二部材２２とは反対側の第一部材２１には収容部２の内外を貫通する複数の通気孔２１１が穿設されている。この通気孔２１１から、薬剤保持部１に保持されている前記薬剤が収容部２の外部に拡散される。このように、薬剤保持部１が収容部２に封入されていることにより、保管や店頭に陳列されている状態など未使用時において、発熱部３の発熱組成物３１に含まれる活性炭などの吸着性を有する材料や包装体３２に前記薬剤が吸着されないため、害虫を防除する効果を低減したり、十分な防除する効果を奏するために必要以上に前記薬剤を薬剤保持体１に保持させたりする必要がなくなる。また、薬剤保持部１が収容部２に封入されており、外部から薬剤保持部１を取り出すことができないために、乳幼児が薬剤保持部１を口に入れてしまうという誤飲を防ぐこともできる。なお、第一実施形態において、第一部材２１の通気孔２１１は長孔として図示されているが、薬剤が収容部２の外部に拡散されるのであれば、他の実施形態において、通気孔の形状を円形、矩形状等とすることができ、また、第一部材２１を複数の繊維によって編まれた網目状とすることや、第一部材２１として目視では孔が設けられていない前記薬剤を透過することができる素材を用いることもできる。
【００２７】
そして、収容部２の第一部材２１には、通気孔２１１を覆う蓋部２３が設けられており、未使用時に通気孔２１１を封じる部材である。蓋部２３の裏面、すなわち第一部材２１と当接する面には、図示しない接着層が設けられており、図３に示すように蓋部２３を第一部材２１から剥がすことで通気孔２１１から前記薬剤を放出させることができる。蓋部２３を第一部材２１に密着させて、通気孔２１１に蓋をすることにより、前記薬剤が収容部２から外部に拡散することを防ぐ。このため、本発明を使用しないとき、蓋部２３で通気孔２１１を封じているので、常温において保存されているときでも薬剤保持部１から薬剤が不必要に揮発することを防ぐことができる。また、蓋部２３を第一部材２１から完全に剥がして通気孔２１１の全てを収容部２の内外を連通するよう開放することもできるし、また、収容部２から半分程度剥がして通気孔２１１の半分程度を同様に開放することもできる。このように、蓋部２３の開閉の程度によって、前記薬剤が収容部２から放出する量を制御することもできる。なお、本実施形態において、蓋部２３は１枚のシート状の部材として示しているが、他の実施形態において通気孔２１１を覆う限りにおいて蓋部２３を複数設けることができる。
【００２８】
そして、第二実施形態において、図４に示すように、発熱部３に固定される側の第二部材２２の外周部付近に収容部２の内外を貫通する複数の通気孔２１１が穿設されている。収容部２より相対的に一回り小さい発熱部３などを収容部２に固定することにより、使用時に前記薬剤が通気孔２１１を介して発熱部３側に向かって外部に拡散される。そして、収容部２の第二部材２２には、長方形の角環形状のように少なくとも通気孔２１１を覆う蓋部２３が設けられており、未使用時に通気孔２１１を封じる部材である。また、蓋部２３は、第二部材２２の外周の辺ごとに、各辺に並ぶ複数の通気孔２１１を覆う長方形状の部材を４つ設けられるようにすることもできる。蓋部２３のその他の構成や効果は第一実施形態と同様である。さらに、他の実施形態において、第一実施形態のような第一部材２１に通気孔２１１が穿設されるとともに、第二実施形態のような第二部材２２にも通気孔２１１が穿設される収容部２とすることもできる。
【００２９】
また、第一実施形態および第二実施形態において、図示していないが、市販するときには、発熱部３が酸化により発熱することを防ぐために、これを密封する袋や箱などの包装容器を必要とする。また、袋や箱などの包装容器は、開封したときには再度密封できないようにすることもできるし、これらの加熱蒸散型害虫防除具の利用を一時中断して後に再度利用するために、ジッパー等の止着部などを設けたり、一部の素材を熱溶着しうるプラスチック素材としたりなど密封できるようにすることもできる。このとき、袋や箱などの包装容器の材料は、酸素等の透過を防ぐために、例えば、ポリエステル、ポリプロピレン、ポリビニルアルコールとエチレンビニル共重合体、ポリ塩化ビニリデン、ポリアクリロニトリル等の樹脂フィルム、これらの樹脂をコーティングしたプラスチックフィルム、アルミ等の金属からなる金属箔やそれらの金属を蒸着したフィルムであることが好ましく、後述する収容部２を構成する第一部材２１及び第二部材２２と蓋部２３の材料と同じであることがより好ましい。
【００３０】
さらに、第三実施形態において、図５に示すように、発熱部３に固定される側の第二部材２２とは反対側の第一部材２１には収容部２の内外を貫通する円形状で複数の通気孔２１１が穿設されている。第一実施形態とは異なり、収容部２の第一部材２１には、通気孔２１１を覆う蓋部２３が設けられていない。このため、第一実施形態や第二実施形態の加熱蒸散型害虫駆除具と同様に、市販するときには、図５に示している構成部材以外に、これらを密封する袋や箱などの包装容器を必要とする。このとき、収容部２から前記薬剤が飛散することを抑制するために、収容部２の第一部材２１と包装容器の内側が密着して通気孔２１１を塞ぐことが好ましい。したがって、第三実施形態における包装容器の材料は、後述する収容部２を構成する第一部材２１及び第二部材２２と蓋部２３の材料と同じであることが好ましい。このように蓋部２３を要しない構成とすることにより、第一実施形態や第二実施形態のものに比べて、前記薬剤、とりわけその内の有効成分が発熱部３に移行することを防ぎながら製造工程を短縮して製造に掛かる経費を抑制することができ、さらに包装容器を開封するという一回の作業ですぐに使用できるという顕著な効果を有する。また、図示されていないが、第一実施形態と同様に、収容部２と発熱部３は固定部４により固定される。
【００３１】
そして、収容部２を構成する第一部材２１及び第二部材２２と蓋部２３の材料は、例えば、ポリエチレンテレフタレート、ナイロン６やナイロン６，６などのナイロン、エチレン・ビニルアルコール共重合体、ポリエチレン、ポリプロピレン、ポリ塩化ビニリデン被覆二軸延伸ポリプロピレン、直鎖状低密度ポリエチレンなどの熱可塑性樹脂や、アルミニウム、銅などの良好な熱伝導性を有する薄い金属部材が積層された熱可塑性樹脂からなるフィルム、アルミニウム、銅などの良好な熱伝導性を有する金属製フィルムであることが好ましく、ポリエチレンテレフタレート、ナイロン、エチレン・ビニルアルコール共重合体の１種又は２種以上がさらに好ましい。収容部２を構成する第一部材２１及び第二部材２２と蓋部２３の材料をこれらの材料とすると、薬剤保持部１から揮散した前記薬剤、とりわけそのうちの有効成分が、収容部２、蓋部２３に吸着されてにくく、収容部２の外部へ前記薬剤を効率良く放出することができる。
【００３２】
収容部２として種々の材料を用いて、図３などに示すような網目状の薬剤保持部１を密封したときに、収容部２への前記薬剤に含まれる有効成分の移行しにくさを確認した。すなわち、まず、薬剤保持部１に有効成分であるメトフルトリン５ｍｇをイソプロパノールで５０μＬに希釈した溶液を含浸させて、種々の材料からなる収容部２に密封し、４０℃で１週間静置した後に、薬剤保持部１及び収容部２を、それぞれメタノール５０ｍＬを用いて２５℃の温度条件下で１２時間抽出した。そして、抽出したメタノール溶液を、メタノール水溶液（メタノール：水＝９：１）を移動相として用いて、ＯＤＳカラム（信和化工株式会社製、ＳＴＲ  ＯＤＳ−ＩＩ  長さ１５０ｍｍ、内径６．０ｍｍ）を備えた液体クロマトグラフィー（株式会社島津製作所製、ＬＣ−２０１０ＡＨＴ）によってメトフルトリンを定量した。定量は、フタル酸ジヘキシルを内部標準物質として用いた内部標準法にて行った。そして、その定量の結果を用いて薬剤保持部１におけるメトフルトリンの残存率及び収容部２へのメトフルトリンの移行率を算出した。それぞれの結果について３回ずつ分析した算術平均値を表１に示す。
【００３３】
【表１】
2016143894.tif 000003
【００３４】
表１から、ナイロン６とエチレン・ビニルアルコール共重合体からなる複合材料及びポリエチレンテレフタレートからなる収容部２において、メトフルトリンが収容部２に移行せず薬剤保持部１に留まるために、使用せずに長期に保存していたとしても薬剤保持部１に十分な量の前記薬剤の有効成分が保持されていることが分かった。
【００３５】
そして、第二部材２２は、上記樹脂成分に替えて、アルミニウム、銅などの金属製部材とすることもできる。第二部材２２を金属製部材とすることにより、収容部２が発熱部３に設けられたときに発熱部３からの熱が薬剤保持部１に伝わり易くなり前記薬剤を効率的に揮発させることができる。また、蓋部２３の材料は、上記熱可塑性樹脂にアルミニウム、シリカ、アルミナなどの金属、酸化金属化合物が蒸着されていること、ベンゾトリアゾール系化合物、ベンゾフェノン系化合物、サリシレート系化合物、シアノアクリルレート系化合物、ニッケル系化合物、トリアジン系化合物などの紫外線吸収剤が混練されていること、白、青、緑の顔料や染料により着色されていることから選ばれる少なくとも１種の加工が施されていることもできる。蓋部２３の材料が上記の加工が施されていることにより遮光性を有するため、薬剤保持部１に保持されている前記薬剤が紫外線などにより分解することを防ぐことができる。
【００３６】
発熱部３は、酸素によって発熱する発熱組成物３１と通気性のある包装体３２とを有するものである。発熱組成物３１は、酸素による酸化反応で発熱する粉末状又は粒状の物質である。具体的には、発熱組成物３１は、金属粉（ 例えば、鉄、アルミニウム、亜鉛、銅等） 、塩類（ 例えば、塩化ナトリウム、塩化カリウム等のアルカリ金属の塩化物、塩化カルシウム、塩化マグネシウム等のアルカリ土類金属の塩化物等） 、保水剤（ 例えば、バーミュキュライト、ケイ酸カルシウム、シリカゲル、シリカ系多孔質物質、アルミナ、パルプ、木紛、吸水ポリマー等） 、反応促進剤（ 例えば、活性炭、カーボンブラック、黒鉛等） 、水分等などからなる複合物である。そして、それらの配合量を調整することで、発熱するときの温度及び発熱する時間をある程度制御することができる。発熱部３として、市販されている汎用品の所謂使い捨てカイロなどを使用することができる。
【００３７】
包装体３２は、酸素を透過する通気性を有し、袋状のものであり、その内部に発熱組成物３１を収容する。包装体３２の全面あるいは一部には、発熱組成物３１を漏洩しない程度の孔を有しており、具体的には、紙、不織布、織布などの通気性を有する素材や、また、発泡フィルム、プラスチック、天然ゴム、再生ゴム、合成ゴム、金属箔などの通気性を有しない素材から形成した多孔質フィルムシートなどを使用することができる。中でも、発熱組成物３１を袋状の内部で偏らせずに固定部４、第二部材２２に熱を安定的に伝えるために、炭酸カルシウム等の微粒子を含んだプラスチックフィルムを延伸させて微細孔を形成させた多孔質フィルムシートを用いるのがより好ましい。使用時には、発熱組成物３１の発熱を受けて包装体３２が加熱され、さらにその熱を包装体３２から固定部４、第二部材２２を介して薬剤保持部１に伝えることとなる。
【００３８】
本発明で使用される発熱部３は、発熱したときの外表面の温度は４０から７０℃、また発熱持続時間が８から２４時間程度であることが好ましい。
【００３９】
固定部４は、収容部２と発熱部３の間に位置し収容部２と発熱部３を固定する部材である。本実施形態において、固定部４は、収容部２と発熱部３を接着して固定する部材である。固定部４の材質は、例えば、アクリル酸エステル共重合体などのアクリル系接着剤、ウレタン樹脂などのウレタン系接着剤であることが好ましい。また、固定部４は、他の実施形態において、収容部２と発熱部３を固定するクリップ、ボタンなどを用いることも可能である。
【００４０】
標識部５は、薬剤保持部１の外表面に接着剤などで固設されており、薬剤保持部１に含浸された前記薬剤がおおよそ揮散したことを使用者に視認できるよう示す標識である。標識部５は、例えば、二酸化ケイ素（屈折率１．４５）、ゼオライト（屈折率１．４８）、カオリン（屈折率１．５６）、タルク（屈折率１．５７）、炭酸カルシウム（屈折率１．５８）、ポリスチレン（屈折率１．６）、ポリエチレン（屈折率１．５３）、メタクリル酸メチル樹脂（屈折率１．４９）などの白色又は透明などの微粒子によって構成され、図３に示すように「ＥＮＤ」という文字が描かれている。標識部５として、他の実施形態において、「おとりかえください」、「おわり」など日本語及びその内容に相当する外国語の文字、「×」などの記号などを用いることができ、また、これらの文字、図形、記号を複数組み合わせて構成することもできる。
【００４１】
薬剤保持部１に前記薬剤が十分に含浸されているときには、前記薬剤の屈折率が１．４〜１．６と標識部５を構成する微粒子の屈折率と同様の値であることから、標識部５を構成する微粒子が前記薬剤に接触して濡れることにより、前記薬剤と標識部５が同化して、使用者は標識部５を視認することが難しい。一方、薬剤保持部１に前記薬剤がほとんど含浸されていないときには、標識部５を構成する微粒子が前記薬剤に接触せず周囲の空気（屈折率１．０）と接触することにより、標識部５を構成する微粒子と空気の屈折率の差が大きくなるため、使用者は標識部５を視認し易くなる。また、標識部５を視認し易くなるように、標識部５の微粒子の色と、薬剤保持部１の色を異なるようにすることが好ましい。
【００４２】
また、第四実施形態として、図６に示すように、身体や物品などの物体に固定することができる構成とすることができる。具体的には、第三実施形態に示した薬剤保持部１、収容部２、発熱部３などを同様に備え、発熱部３において収容部２側とは反対の面に、粘着部６と、その粘着部６を覆う剥離部７を備えている。このとき、発熱部３に酸素をより多く透過させて発熱させ易くするために、収容部２の面積は発熱部３の面積より小さいことが好ましい。
【００４３】
粘着部６は、任意の物体に貼り付けるための部材である。粘着部６として、例えば、ゴム系粘着剤、アクリル系粘着剤、シリコーン系粘着剤、ウレタン系粘着剤、ポリエステル系粘着剤、ポリアミド系粘着剤、エポキシ系粘着剤、ビニルアルキルエーテル系粘着剤、フッ素系粘着剤などとすることが好ましい。なお、本実施形態において、粘着部６は、一枚のシート状を有しているが、他の実施形態において複数本の独立した帯状とすることもできる。
【００４４】
剥離部７は、市販時に袋や箱などの包装容器と粘着部６が貼りつかないためなどに用いられる粘着部６を保護する部材である。剥離部７としては、例えば、上質紙、クラフト紙およびポリエステルフィルムなどからなる基材と、シリコーン樹脂などからなる剥離層などの多層構造として構成される。このうち剥離層が粘着部６と当接する。なお、本実施形態において、剥離部７は、粘着部６とおおよそ同じ大きさのシート状としているが、粘着部６の形状に応じて種々の形状とすることができる。
【００４５】
＜実施例＞
本発明の第一実施形態の参考例１で示された有効成分であるメトフルトリン及びイソプロパノールからなる薬剤、薬剤保持部１、収容部２を用い、発熱部３を備えた加熱蒸散型害虫防除具を、未使用時を想定してナイロン６とエチレン・ビニルアルコール共重合体からなる複合材料の包装容器に密封し、４０℃、一週間という加速試験条件下で静置した後に、収容部２で封じた薬剤保持部１に残存している薬剤の有効成分であるメトフルトリンを上記方法と同様にして液体クロマトグラフィーを用いて定量し、残存率を算出した。また、同様に、比較例として、薬剤保持部１を収容部２で封じることなく直接発熱部３に固定した状態で上記と同じ包装容器に密封して、同様の条件下で薬剤保持部１に残存している薬剤の有効成分であるメトフルトリンの残存率を算出した。
【００４６】
その結果、実施例において、収容部２で封じた薬剤保持部１には９９．２重量％のメトフルトリンが残存していたが、比較例において、収容部２で封じることなく直接発熱部３に固定した薬剤保持部１には１９．０重量％のメトフルトリンしか残存していなかった。したがって、比較例においては、薬剤の有効成分であるメトフルトリンが発熱部３などに移行してしまい、前記包装容器を開封して実際に使用しようとするときには防除効果が非常に低いのに比べて、本発明の実施例においては、薬剤の有効成分であるメトフルトリンが薬剤保持部１にほとんどそのまま残存しており、前記包装容器を開封して実際に使用しようとするときには所望の防除効果を発現することができる。
【符号の説明】
【００４７】
１・・・薬剤保持部
２・・・収容部
２１・・・第一部材
２１１・・・通気孔
２２・・・第二部材
２３・・・蓋部
３・・・発熱部
３１・・・発熱組成物
３２・・・包装体
４・・・固定部
５・・・標識部
６・・・粘着部
７・・・剥離部
【図１】
2016143894.tif 000004
【図２】
2016143894.tif 000005
【図３】
2016143894.tif 000006
【図４】
2016143894.tif 000007
【図５】
2016143894.tif 000008
【図６】
2016143894.tif 000009
【国際調査報告】
2016143894.tif 000010
2016143894.tif 000011
2016143894.tif 000012
2016143894.tif 000013